(57)【要約】【課題】光軸がマーカーランプ中心軸の方向になるマーカーランプと、光軸がマーカーランプ中心軸に対して所定の傾斜角度に傾斜したマーカーランプとを、少ない部品アイテム及び部品点数で以って且つ低コストで製作可能とした車両用マーカーランプを提供する。【解決手段】車両用マーカーランプにおいて、ハウジングに形成された基板の取付面を、マーカーランプ中心軸にほぼ直角な垂直取付面と一定角度傾斜した１個または複数の傾斜取付面とにより形成し、光源からの光線がマーカーランプ中心軸方向に照射される中心方向照射マーカーランプでは、基板に光源を組付けた基板組立品を垂直取付面に取付け、前記光源からの光線がマーカーランプ中心軸に対して傾斜した方向に照射される傾斜方向照射マーカーランプでは、基板組立品を傾斜取付面に取付けることにより、光源の中心軸を変化可能に構成する。【選択図】図３
2007214094.tif 000002
【特許請求の範囲】
【請求項１】
車体の車両外部から視認可能な部位に装着されて、ハウジングに着脱可能に取り付けられた基板上にＬＥＤ（発光ダイオード）からなる光源を組付け、該光源の外部を光拡散用のレンズで覆って構成された車両用マーカーランプにおいて、前記ハウジングに形成された前記基板の取付面を、ランプ中心軸にほぼ直角な垂直取付面と該垂直取付面に対して一定角度傾斜した１個または複数の傾斜取付面とにより形成し、該光源からの光線がランプ中心軸方向に照射される中心方向照射マーカーランプでは、前記基板に光源を組付けた基板組立品を前記垂直取付面に取付け、あるいは前記光源からの光線がランプ中心軸に対して傾斜した方向に照射される傾斜方向照射マーカーランプでは、前記基板組立品を前記傾斜取付面に取付けることにより、前記光源の中心軸を変化可能に構成したことを特徴とする車両用マーカーランプ。
【請求項２】
前記ハウジングは前記レンズ側が開口した箱状に形成され、その内部に前記垂直取付面が設けられて前記中心方向照射マーカーランプでは前記基板組立品を該垂直取付面に取付け、該ハウジングの開口端部には前記傾斜取付面が設けられて前記傾斜方向照射マーカーランプでは前記基板組立品を該傾斜取付面に取付け可能に構成したことを特徴とする請求項１記載の車両用マーカーランプ。
【請求項３】
前記ハウジング内部の垂直取付面に該垂直取付面に対して一定角度傾斜して傾斜取付面が刻設され、前記傾斜方向照射マーカーランプでは、前記基板組立品の一端側を前記ハウジング開口端部の傾斜取付面に支持するとともに該基板組立品の他端側を前記垂直取付面に刻設された傾斜取付面に支持するように構成されたことを特徴とする請求項２記載の車両用マーカーランプ。
【請求項４】
前記ハウジング開口端部の傾斜取付面及び垂直取付面に形成された傾斜取付面を、前記ランプ中心軸に対して対称にそれぞれ２個設けて、前記傾斜位置における前記基板組立品を前記２個の傾斜取付面を選択使用することにより、前記傾斜方向照射マーカーランプでは、前記ランプ中心軸に対して対称な２方向に光源中心軸を指向可能に構成したことを特徴とする請求項２及び３記載の車両用マーカーランプ。
【請求項５】
前記レンズの内側に、第２のレンズと該第２のレンズの内側に固定されたブラケットとをそなえたブラケット付き内部レンズを設け、該ブラケット付き内部レンズの端部に前記基板組立品が固定されて前記ハウジングに固定可能に構成したことを特徴とする請求項１ないし４のいずれかの項に記載の車両用マーカーランプ。
【発明の詳細な説明】
【技術分野】
【０００１】
本発明は、バス、トラック等の自車位置を、夜間に車両外部から視認可能にするために車体上部あるいは側部に設置される車両用マーカーランプに関する。
【背景技術】
【０００２】
バス、トラック等の主として大型車両においては、従来から、夜間に車両外部から視認可能にするために車体上部あるいは側部にマーカーランプを設置している。
図７は、バス用のマーカーランプ設置態様を示す斜視図であり、図において、１０１は車体、１０２は前輪、１０３は後輪、１００は前記車体の前部上方に２箇所、後部上方に２箇所（図示せず）それぞれ設置されたマーカーランプである。このマーカーランプ１００は、白熱電球を使用したものと、発光ダイオード（以下ＬＥＤという）を使用したものとがあるが、近年はＬＥＤを使用したものが多くなっている。
【０００３】
前記ＬＥＤ使用のマーカーランプの一つに、特許文献１（特開平１０−３１９０５号公報）の技術がある。
かかる技術においては、灯具ボデイ（ハウジング）と前面のレンズによって灯体を構成し、この灯体内に複数個のＬＥＤと、該ＬＥＤのうち内部に位置して配置されたＬＥＤの光を前方に導き、外側に位置して設けられたＬＥＤの光を径方向外方に反射させるリフレクタを設け、運転席からの視認性を向上させ、自車の位置確認を容易に行なえるようにしている。
【０００４】
【特許文献１】特開平１０−３１９０５号公報
【発明の開示】
【発明が解決しようとする課題】
【０００５】
ＬＥＤ使用のマーカーランプは、該マーカーランプからの光線を遠方まで到達させ得るという大きな利点があるが、白熱電球に比べて出力光の指向性が強く、光軸周りの輝度が強く、光軸と直交方向の輝度が弱いため、ランプの前方に対しては良く照射するがランプの側方に対しては照射が必ずしも良好でないという特性を持っている。
【０００６】
前述のような特性を有するＬＥＤ使用のマーカーランプをバスやトラックに装備する場合、車体後部の屋根からリヤパネルにかけての略垂直部に取り付けられて車両後方を照射しているマーカーランプをそのまま車体前部の屋根傾斜部に取り付けると、マーカーランプからの光線が車両前方に向って且つ上向き照射することとなり、車両の外からマーカーランプの点灯を視認することが困難になる。また、車体の側部に設置されるマーカーランプのように、ランプからの光線をある程度の距離まで到達させ得るとともに運転席から自車の側部を確認する必要のあるマーカーランプは、光軸がマーカーランプ中心軸に対して一定角度下方に向くように、光源をハウジングに設置することを要する。
【０００７】
然るに、前記特許文献１（特開平１０−３１９０５号公報）の技術にあっては、ＬＥＤからなる複数の光源が固定された基板を、灯具ボデイ（ハウジング）の底板に固定し、該底板の上面にＬＥＤの光を径方向外方に反射させるリフレクタを固定するように構成されているため、光軸がランプ中心軸の方向になるように複数の光源をハウジングの底板に取付けた状態で前記リフレクタによってＬＥＤの光を径方向外方へも反射させることが可能ではある。
【０００８】
しかしながら、かかる従来技術にあっては、前記リフレクタではカバーできないような、光軸をランプ中心軸に対して一定角度以上傾斜させて照射する場合には、灯具ボデイ（ハウジング）、基板に固定された複数の光源及びリフレクタを新規に製作して、前記光軸がランプ中心軸の方向になるように構成したものとそっくり組み替える必要がある。このため、光軸がランプ中心軸の方向になるマーカーランプと、光軸がランプ中心軸に対して所定の傾斜角度に傾斜したマーカーランプの複数種類のマーカーランプを製作して車両の所要箇所に装着する場合には、複数種類の専用マーカーランプ組立品を別個に製作する必要があり、部品アイテム及び部品点数が多くなるとともに、マーカーランプの製造コストも高くなる。
【０００９】
従って、本発明はかかる従来技術の課題に鑑み、光軸がランプ中心軸の方向になるマーカーランプと、光軸がランプ中心軸に対して所定の傾斜角度に傾斜したマーカーランプとを、少ない部品アイテム及び部品点数で以って且つ低コストで製作可能とした車両用マーカーランプを提供することを目的とする。
【課題を解決するための手段】
【００１０】
本発明はかかる目的を達成するもので、車体の車両外部から視認可能な部位に装着されて、ハウジングに着脱可能に取り付けられた基板上にＬＥＤ（発光ダイオード）からなる光源を組付け、該光源の外部を光拡散用のレンズで覆って構成された車両用マーカーランプにおいて、前記ハウジングに形成された前記基板の取付面を、ランプ中心軸にほぼ直角な垂直取付面と該垂直取付面に対して一定角度傾斜した１個または複数の傾斜取付面とにより形成し、該光源からの光線がランプ中心軸方向に照射される中心方向照射マーカーランプでは、前記基板に光源を組付けた基板組立品を前記垂直取付面に取付け、あるいは前記光源からの光線がランプ中心軸に対して傾斜した方向に照射される傾斜方向照射マーカーランプでは、前記基板組立品を前記傾斜取付面に取付けることにより、前記光源の中心軸を変化可能に構成したことを特徴とする（請求項１）。
【００１１】
かかる発明において、具体的には次のように構成するのが好ましい。
（１）前記ハウジングは前記レンズ側が開口した箱状に形成され、その内部に前記垂直取付面が設けられて前記中心方向照射マーカーランプでは前記基板組立品を該垂直取付面に取付け、該ハウジングの開口端部には前記傾斜取付面が設けられて前記傾斜方向照射マーカーランプでは前記基板組立品を該傾斜取付面に取付け可能に構成する（請求項２）。
（２）前記ハウジング内部の垂直取付面に該垂直取付面に対して一定角度傾斜して傾斜取付面が刻設され、前記傾斜方向照射マーカーランプでは、前記基板組立品の一端側を前記ハウジング開口端部の傾斜取付面に支持するとともに該基板組立品の他端側を前記垂直取付面に刻設された傾斜取付面に支持するように構成する（請求項３）。
【００１２】
かかる発明によれば、ハウジングにランプ中心軸にほぼ直角な垂直取付面と該垂直取付面に対して一定角度傾斜した１個または複数の傾斜取付面とを設けておき、光源からの光線をランプ中心軸方向に照射する中心方向照射マーカーランプに適用する場合には、基板に複数の光源を組付けた基板組立品を前記垂直取付面に取付け、光源からの光線をランプ中心軸に対して一定角度傾斜して照射する傾斜方向照射マーカーランプに適用する場合には、前記基板組立品を、好ましくはハウジングの開口端部及びハウジング内部の垂直取付面に該垂直取付面に対して一定角度傾斜して設けた傾斜取付面（請求項２及び請求項３）に取付けることが可能となる。
【００１３】
従ってかかる発明によれば、ハウジングにランプ中心軸にほぼ直角な垂直取付面と、好ましくはハウジングの開口端部及び前記垂直取付面に形成された傾斜取付面とを設けることにより、前記中心方向照射マーカーランプの場合はハウジングの垂直取付面を利用し、前記傾斜方向照射マーカーランプの場合はハウジングの傾斜取付面を利用するというように、ハウジングに設けた垂直取付面と傾斜取付面とを使い分けるのみで、共通の部品によって、照射方向が異なるマーカーランプを製作、設置することが可能となる。
これにより、マーカーランプからの光度を低下させることなく、特許文献１（特開平１０−３１９０５号公報）のような従来技術に比べて、少ない部品アイテム及び部品点数で以って且つ低コストで、照射方向が異なる複数のマーカーランプを製作、設置することができる。
【００１４】
また、かかる発明において好ましくは、前記ハウジング開口端部の傾斜取付面及び垂直取付面に形成された傾斜取付面を、前記ランプ中心軸に対して対称に２個設けて、前記傾斜位置における前記基板組立品を前記２個の傾斜取付面を選択使用することにより、前記傾斜方向照射マーカーランプでは、前記ランプ中心軸に対して対称な２方向に光源中心軸を指向可能に構成する（請求項４）。
このように構成すれば、前記傾斜方向照射マーカーランプの場合において、ハウジング開口端部及び垂直取付面に、前記ランプ中心軸に対して対称に２個設けた傾斜取付面に、所要のマーカーランプ光軸傾斜方向に応じて前記基板組立品を選択組付けすることにより、共通の部品によって、マーカーランプ光軸の傾斜方向が異なる２種類のマーカーランプを製作、設置することができる。
【００１５】
また、かかる発明において好ましくは、前記レンズの内側に、第２のレンズと該第２のレンズの内側に固定されたブラケットとをそなえたブラケット付き内部レンズを設け、該ブラケット付き内部レンズの端部にて前記基板組立品を固定して前記ハウジングに固定可能に構成する（請求項５）。
このように構成すれば、前述のような作用効果に加えて、レンズの内側にブラケット付きの第２のレンズを設けて、該第２のレンズの内側に固定したブラケットで前記基板組立品を固定してハウジングに固定することにより、ブラケット付きの第２のレンズは、光源からの光の拡散機能と、基板組立品をハウジングに固定する基板組立品の固定機能とを併せそなえることができる。
従って、ブラケット付きの第２のレンズをハウジングに固定するのみで、内側の第２のレンズと外側のレンズとの二重の光拡散作用によって、光線の指向性が強いＬＥＤの光を大きく拡散して広範囲への照射をなすことができるとともに、第２のレンズに固定したブラケットにより基板組立品をハウジングに確実に固定することができる。
【発明の効果】
【００１６】
本発明によれば、ハウジングにランプ中心軸にほぼ直角な垂直取付面と傾斜取付面とを併設することで、中心方向照射マーカーランプの場合はハウジングの垂直取付面を利用し、傾斜方向照射マーカーランプの場合はハウジングの傾斜取付面を利用することによって、ハウジングに設けた垂直取付面と傾斜取付面とを使い分けるのみで、共通の部品によって、照射方向が異なるマーカーランプを製作、設置することが可能となる。
これにより、マーカーランプからの光度を低下させることなく、従来技術に比べて、少ない部品アイテム及び部品点数で以って且つ低コストで、照射方向が異なる複数のマーカーランプを製作、設置することができる。
【発明を実施するための最良の形態】
【００１７】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【実施例１】
【００１８】
図１は本発明の第１実施例に係る車両用マーカーランプの正面図、図２は前記第１実施例に係る中心軸方向照射マーカーランプを示す図１のＡ−Ａ線断面図である。図３は前記第１実施例に係る傾斜方向照射マーカーランプを示し、（Ａ）は図１におけるＡ−Ａ線断面図、（Ｂ）は（Ａ）におけるＺ部拡大図、（Ｃ）は（Ａ）におけるＺ１部拡大図である。
図１〜３において、１００は車体１０１の車両外部から視認可能な部位に装着されたマーカーランプ（図７参照）で、次のように構成されている。
１はハウジング、２は透明体からなる光拡散用のレンズで、該ハウジング１は前記レンズ２側が開口した箱状に形成されている。なお、ハウジング１の開口には、フランジ１Ｚが形成されている。前記レンズ２は外周部を前記ハウジング１の外周に係合され、該ハウジング１は複数の取付けネジ７によって車体１０１に固定されている。３は前記ハウジング１のフランジ部１ｚと車体１０１との間に介装されたシール部材である。
【００１９】
４は詳細を後述するように前記ハウジングに着脱可能に取り付けられた基板、５は該基板４の長手方向に複数個（この例では６個）装着されたＬＥＤ（発光ダイオード）からなる光源である。前記基板４に光源５を組付けて基板組立品４０を構成する。該基板組立品４０は、その外部を前記レンズ２で覆われている。６は前記光源５への送電用の導線の接続端子部である。
１ａは前記箱状のハウジング１内に形成された垂直取付面で、図２に示されるような、光源５からの光線をレンズ２の中心であるランプ中心軸１ｙ方向（Ｓは照射方向）に照射する中心方向照射マーカーランプの場合には、前記基板組立品４０の基板４を前記垂直取付面１ａに取付けている。
具体的には、垂直取付面１ａにボス１ｆが複数（図２では２個）突設され、同ボス１ｆに基板４を挿通させて、ボス１ｆの先端部に熱を加えて溶融するいわゆる熱かしめをして基板４を垂直取付面１ａに固定している。
【００２０】
また、図３（Ａ）、（Ｂ）に示すように前記ハウジング１の開口端部にはランプ中心軸１ｙに対して一定角度θ（傾斜角）で以って傾斜した傾斜取付面１ｂが形成されるとともに、図３（Ａ）、（Ｃ）に示すように前記ハウジング１内部の垂直取付面１ａには前記ランプ中心軸１ｙに対して一定角度θ（傾斜角）で以って傾斜した（つまり前記傾斜取付面１ｂと同一面を有する）傾斜取付面１ｅが略直角のＶ字状に刻設されている。
そして、前記光源５からの光線をランプ中心軸１ｙに対して下方に一定角度θ傾斜した方向（Ｓは照射方向）に照射する傾斜方向照射マーカーランプの場合は、図３（Ａ）のように前記基板組立品４０の基板４の上端側を前記ハウジング１の開口端部の傾斜取付面１ｂで支持するとともに、前記基板４の下端側を垂直取付面１ａの傾斜取付面１ｅで支持し、該基板４の上端部をハウジング１のフランジ部１Ｚに突設されているかしめ部材９に挿通した押えブラケット８の舌片８ａで押えてかしめ部材９の先端を熱かしめをすることにより、前記基板組立品４０をハウジング１に固定する。
【００２１】
かかる第１実施例によれば、ハウジング１にランプ中心軸１ｙにほぼ直角な垂直取付面１ａと該垂直取付面１ａに対して傾斜角θで以って傾斜した２個（１個でも前記傾斜角θを変えた３個以上でもよい）の傾斜取付面１ｅとを設けておき、光源５からの光線をランプ中心軸１ｙ方向に照射する中心方向照射マーカーランプに適用する場合には、基板４に複数（この例では６個）の光源５を組付けた基板組立品４０を前記垂直取付面１ａに取付け、光源５からの光線をランプ中心軸１ｙに対して傾斜角θで傾斜して照射する傾斜方向照射マーカーランプに適用する場合には、前記基板組立品４０を、ハウジング１の開口端部の傾斜取付面１ｂ及び前記垂直取付面１ａに該垂直取付面１ａに対して傾斜角θで傾斜して設けた傾斜取付面１ｅに取付けることが可能となる。
【００２２】
従ってかかる第１実施例によれば、ハウジング１にランプ中心軸１ｙにほぼ直角な垂直取付面１ａと、ハウジング１の開口端部及び前記垂直取付面１ａに傾斜取付面１ｂ，１ｅとを設けることにより、前記中心方向照射マーカーランプの場合はハウジング１の垂直取付面１ａを利用し、前記傾斜方向照射マーカーランプの場合はハウジング１の傾斜取付面１ｂ，１ｅを利用するというように、ハウジング１に設けた垂直取付面１ａと傾斜取付面１ｂ，１ｅとを使い分けるのみで、共通の部品によって、照射方向が異なるマーカーランプ１００を製作、設置することが可能となる。
これにより、マーカーランプ１００からの光度を低下させることなく、特許文献１（特開平１０−３１９０５号公報）のような従来技術に比べて、少ない部品アイテム及び部品点数で以って且つ低コストで、照射方向が異なる複数のマーカーランプ１００を製作、設置することができる。
【００２３】
さらに、図３（Ａ）、（Ｃ）に鎖線で示すように、前記ハウジング１の開口端部及び該ハウジング１内部の垂直取付面１ａには、前記傾斜取付面１ｂ及び傾斜取付面１ｅと前記ランプ中心軸１ｙに対して対称に傾斜取付面１ｃ及び傾斜取付面１ｄを設けて、前記光源５からの光線をランプ中心軸１ｙに対して上方に傾斜角θで傾斜した方向に照射する傾斜方向照射マーカーランプの場合は、前記基板組立品４０の基板４の下端側を前記ハウジング１の開口端部の傾斜取付面１ｃで支持するとともに、前記基板４の上端側を垂直取付面１ａに設けた傾斜取付面１ｄで支持し、該基板４の下端部を押えブラケット（図示省略）で押えてかしめ部材（図示省略）をかしめることにより、前記基板組立品４０をハウジング１に固定する。
このように構成すれば、前記傾斜方向照射マーカーランプの場合において、ハウジング１の開口端部及び垂直取付面１ａに、前記ランプ中心軸１ｙに関して対称にそれぞれ２個設けた傾斜取付面１ｅ，１ｄに、所要のマーカーランプ光軸傾斜方向に応じて前記基板組立品４０を選択組付けすることにより、共通の部品によって、マーカーランプ光軸の傾斜方向が異なる２種類のマーカーランプ１００を製作、設置することができる。
【実施例２】
【００２４】
図４は本発明の第２実施例に係る車両用マーカーランプの正面図、図５は傾斜方向照射マーカーランプを示す図４のＢ−Ｂ線断面図、図６は中心方向照射マーカーランプを示す図４のＢ−Ｂ線断面図である。
この第２実施例の傾斜方向照射マーカーランプにおいては、図４、５に示すように前記第１実施例におけるレンズ２の内側に、第２のレンズである内部レンズ１１と該内部レンズ１１の内面に一体形成されたブラケット（リブ）１１ａ、１１ｂとをそなえたブラケット付き内部レンズ１１０を設け、ハウジング１のフランジ１Ｚに突設した複数のボス１２（図４参照）を熱かしめすることによって該ブラケット付き内部レンズ１１０が前記ハウジング１に固定される。前記ブラケット１１ａ、１１ｂは、図４に示すように、内部レンズ１１０の長手方向に複数箇所（この例では４箇所）設けられている。
【００２５】
前記傾斜方向照射マーカーランプの場合には、図５のように、内部レンズ１１の内面に一体形成されたブラケット１１ａ、１１ｂの下端部に、基板４を載置して支持するように支持面１１ｃ、１１ｄが形成され、その支持面１１ｃ、１１ｄにかしめ部材１１ｅ、１１ｆで基板４が固定されている。そして、基板４を固定したときに基板組立品４０の光源５の光線がランプ中心軸１ｙ方向に対して傾斜角θで以って傾斜した方向に照射されるように位置決めされて固定される。
基板４をブラケット１１ａ、１１ｂへ固定することによって、基板組立品４０は、内部レンズ１１の内面側に固定された状態となり、その状態で、前述のようにハウジング１のフランジ１Ｚに突設した複数のボス１２（図４参照）を熱かしめすることによって該ブラケット付き内部レンズ１１０を前記ハウジング１に固定する同時に、基板組立品４０がハウジング１に固定される。そして、その光源５からの光線がランプ中心軸１ｙ方向に対して傾斜した方向に照射される。
その他の構成は前記第１実施例と同様であり、これと同一の部材は同一の符号で示す。
【００２６】
前記中心方向照射マーカーランプの場合には、図６のように、前記ブラケット付き内部レンズ１１０は、ハウジング１から突出した図示しないかしめ部材を熱かしめすることにより、前記ブラケット１１ａの端面にて前記基板組立品４０の基板４の上面を押圧して、該基板組立品４０を垂直方向に前記ハウジング１に固定する。
その他の構成は前記第１実施例と同様であり、これと同一の部材は同一の符号で示す。
【００２７】
かかる第２実施例の傾斜方向照射マーカーランプの場合においては、前述の第１実施例の作用効果に加えて、レンズ２の内側にブラケット付き内部レンズ１１０を設けて、該ブラケット付き内部レンズ１１０の内側に固定したブラケット（リブ）１１ａ、１１ｂに前記基板組立品４０をあらかじめ固定可能となり、ブラケット付き内部レンズ１１０は、光源５からの光の拡散機能と基板組立品４０をレンズ２側に固定する固定機能とを併せそなえることができる。
また、第２実施例の中心方向照射マーカーランプの場合においては、前述の第１実施例の作用効果に加えて、レンズ２の内側にブラケット付き内部レンズ１１０を設けて、該ブラケット付き内部レンズ１１０の内側に固定したブラケット（リブ）１１ａで前記基板組立品４０を押圧してハウジング１に固定することにより、前記ブラケット付き内部レンズ１１０は、光源５からの光の拡散機能と基板組立品４０をハウジング１に固定する基板組立品４０の固定機能とを併せそなえることができる。
【００２８】
従って、前記傾斜方向照射マーカーランプの場合、中心方向照射マーカーランプの場合のいずれの実施例においても、前記ブラケット付き内部レンズ１１０をハウジング１に固定するのみで、前記内部レンズ１１と外側のレンズ２との二重の光拡散作用によって、光線の指向性が強いＬＥＤの光を大きく拡散して広範囲への照射をなすことができるとともに、ブラケット付き内部レンズ１１０に固定したブラケット１１ａにより基板組立品４０をハウジング１に確実に固定することができる。
その結果、傾斜方向照射マーカーランプ、中心方向照射マーカーランプいずれの場合においても、簡単な構造で部品点数を減らして低コストで製作可能としつつ、マーカーランプの組立を容易にし、組立性の向上を図ることができる。
【産業上の利用可能性】
【００２９】
本発明によれば、光軸がマーカーランプ中心軸の方向になるマーカーランプと、光軸がマーカーランプ中心軸に対して所定の傾斜角度に傾斜したマーカーランプとを、少ない部品アイテム及び部品点数で以って且つ低コストで製作可能とした車両用マーカーランプを提供できる。
【図面の簡単な説明】
【００３０】
【図１】本発明の第１実施例に係る車両用マーカーランプの正面図である。
【図２】前記第１実施例に係る中心方向照射マーカーランプを示す図１のＡ−Ａ線断面図である。
【図３】前記第１実施例に係る傾斜方向照射マーカーランプを示し、（Ａ）は図１におけるＡ−Ａ線断面図、（Ｂ）は（Ａ）におけるＺ部拡大図、（Ｃ）は（Ａ）におけるＺ１部拡大図である。
【図４】本発明の第２実施例に係る車両用マーカーランプの正面図である。
【図５】前記第２実施例に係る傾斜方向照射マーカーランプを示す図４のＢ−Ｂ線断面図である。
【図６】前記第２実施例に係る中心方向照射マーカーランプを示す図４のＢ−Ｂ線断面図である。
【図７】本発明が適用されるバスの斜視図である。
【符号の説明】
【００３１】
１  ハウジング
１ａ  垂直取付面
１ｂ，１ｃ，１ｄ，１ｅ  傾斜取付面
１ｋ，１ｍ  垂直取付凹部
１ｈ，１ｊ  傾斜取付凹部
１ｙ  マーカーランプ中心軸
２  レンズ
４  基板
４ａ，４ｂ  係合部
５  光源
１１  内部レンズ
１１ａ，１１ｂ  ブラケット
４０  基板組立品
１００  マーカーランプ
１０１  車体
１１０  ブラケット付き内部レンズ
θ  傾斜角
【図１】
2007214094.tif 000003
【図２】
2007214094.tif 000004
【図３】
2007214094.tif 000005
【図４】
2007214094.tif 000006
【図５】
2007214094.tif 000007
【図６】
2007214094.tif 000008
【図７】
2007214094.tif 000009